(57)【要約】【課題】手指等に障害がある人であっても、モード切り替えや数値入力の操作を簡単且つ確実に行い得る操作装置を提供する。【解決手段】操作部６に操作棒６１ａを有するジョイスティック６１と、キー表面に大きな形状の決定キー６２を備えるとともに、表示部７にＦＡＸモード表示７ａとＣＯＰＹモード表示７ｂを配置し、いずれか一方をハイライト表示（点滅又は反転表示）とする。今、ＣＯＰＹモード表示７ｂがハイライトであるときに、ジョイスティック６１の操作棒６１ａを左に傾けると、ハイライト表示がＣＯＰＹモード表示７ｂからＦＡＸモード表示７ａに移る。ここで逆に操作棒６１ａを右に傾けるとハイライト表示が、再度ＣＯＰＹモード表示７ｂに移る。ここで決定キー６２を操作すると、ハイライト表示中のＣＯＰＹモード表示７ｂのＣＯＰＹモードが選択されたものとして、その処理に入る。【選択図】　　　図２
2004040275.tif 000002
【特許請求の範囲】
【請求項１】
表示部を備えた操作装置であって、左右及び／又は上下方向に変位自在な突出部材を有する方向指示手段と、決定キーと、表示部の表示内容を制御する制御手段とを備え、
制御手段は、方向指示手段による指示方向に応じて表示部の表示内容を変更させ、決定キーが操作されると、その時の表示部の表示内容に応じた処理を行うことを特徴とする操作装置。
【請求項２】
複数の自照式キーを備えた操作装置であって、左右及び／又は上下方向に変位自在な突出部材を有する方向指示手段と、決定キーと、自照式キーを選択的に自照させる制御手段とを備え、
制御手段は、方向指示手段による指示方向に応じて自照する自照式キーを切り替え、決定キーが操作されると、その時自照している自照式キーが入力されたものとして処理を行うことを特徴とする操作装置。
【請求項３】
前記複数の自照式キーは、数値入力用のテンキーであることを特徴とする請求項２記載の操作装置。
【発明の詳細な説明】
【０００１】
【発明の属する技術分野】
この発明は、ファクシミリ装置、電話器、パーソナルコンピュータ等の操作装置に関する。
【０００２】
【従来の技術】
一般に、ファクシミリ装置には、モード切り替えや、数値入力を行うために、操作部にコピーキー、スタートキー、ファックスキー、テンキーなど、種々のキーを備え、使用者がこれらのキーを適宜選択して、ファックス通信やコピー等を行っている。
【０００３】
【発明が解決しようとする課題】
上記したファクシミリ装置などの操作装置では、キーの数が多い上に、与えられるスペースも狭いため、各キーは非常に小さいのが現状である。そのため、手指等に障害のある人がキー操作しようとした場合、誤って他のキーを操作してしまう等、使い辛いという問題があった。
【０００４】
この発明は上記問題点に着目してなされたものであって、手指等に障害がある人であっても、モード切り替えや数値入力の操作を簡単且つ確実に行い得る操作装置を提供することを目的としている。
【０００５】
【課題を解決するための手段】
この出願の第１の発明の操作装置は、表示部を備えた操作装置であって、左右及び／又は上下方向に変位自在な突出部材を有する方向指示手段と、決定キーと、表示部の表示内容を制御する制御手段とを備え、制御手段は、方向指示手段による指示方向に応じて表示部の表示内容を変更させ、決定キーが操作されると、その時の表示部の表示内容に応じた処理を行う。
【０００６】
また、第２の発明の操作装置は、複数の自照式キーを備えた操作装置であって、左右及び／又は上下方向に変位自在な突出部材を有する方向指示手段と、決定キーと、自照式キーを選択的に自照させる制御手段とを備え、制御手段は、方向指示手段による指示方向に応じて自照する自照式キーを切り替え、決定キーが操作されると、その時自照している自照式キーが入力されたものとして処理を行う。
【０００７】
【発明の実施の形態】
以下、実施の形態により、この発明をさらに詳細に説明する。図１は、この発明が実施されるファクシミリ装置の構成を示すブロック図である。この実施形態ファクシミリ装置は、主制御部（ＣＰＵ）１と、ＮＣＵ（網制御部）２と、ＭＯＤＥＭ３と、スキャナ４と、画像処理部５と、操作部６と、表示部（ＬＣＤ）７と、ＬＡＮＩ／Ｆ８と、ＲＯＭ９と、ＲＡＭ（ＳＲＡＭ等）１０と、画像メモリ（ＤＲＡＭ等）１１と、ＣＯＤＥＣ（符号化・復号化器）１２と、プリンタ（画像記録部）１３と、を備えている。
【０００８】
主制御部１は、ＲＯＭ９に書き込まれている制御プログラムに従い、ＲＡＭ１０を作業領域として装置の全体制御を実行する。ＮＣＵ２は、主制御部１により制御されて、回線Ｌと当該複合器との接続を制御するとともに、通信相手の電話番号に応じたダイヤルパルスを送出する機能及び着信を検出する機能を有する。なお回線Ｌは、一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線Ｌに送出し、また逆に回線ＬからＮＣＵ２を介して受信したアナログの音声信号をデジタル信号に復調する。
【０００９】
スキャナ４は、所定の読み取り線密度で原稿画像を光学的に読み取って画情報を得る。画像処理部５は、スキャナ４で得た画情報に対し、２値化、シェーディング補正等の画像処理を行う。操作部６は、複数のモードキー、スタートキー、ワンタッチキー、テンキーなど、各種の操作キーを有する。この他に、操作部６には図２に示すように、ジョイスティック６１、決定キー６２を備えている。
【００１０】
表示部７は、操作部６のキーボタンを表示する他、操作部６のキー操作により入力された電話番号、ＦＡＸ番号等を表示する。ＬＡＮＩ／Ｆ８は、装置をＬＡＮ１４に接続するためのものである。ＬＡＮ１４におけるＴＣＰ／ＩＰプロトコルを制御して、ＴＣＰ／ＩＰ上でのＳＭＴＰ、ＭＩＮＥ、ＰＯＰの各プロトコルによる電子メールの送受信を主制御部１が行えるようにするものである。
【００１１】
ＲＯＭ９は、この複合機全体の動作を制御するためのプログラム等を予め格納してある。ＲＡＭ１０は、主制御部１による制御に必要なデータ及び制御動作時に一時記憶が必要なデータ等を記憶する。画像メモリ１１は、スキャナ４で読み取った原稿の画情報をメモリ送信するために一時的に蓄積したり、受信した画情報をプリンタ１３により記録するまで一時的に蓄積する。
【００１２】
ＣＯＤＥＣ１２は、送信画像データをＧ３ファクシミリに適合する符号化方式（ＭＨ、ＭＲ、ＭＭＲ等）で符号化圧縮し、また符号化された受信画像データを所定の復号化方式で復号伸張する。プリンタ１３は、受信画データ、スキャナ４が読み取った原稿の画情報、また画像メモリ１１に記憶された画データを用紙に印字することにより記録してハードコピー出力を行う。
【００１３】
この実施形態ファクシミリ装置において、最も特徴とするところは、操作部６にジョイスティック６１と、決定キー６２とを備え、このジョイスティック６１と決定キー６２とを用いて、モード切り替え信号を装置に入力するようにしたことである。一例として、ＦＡＸモードとＣＯＰＹモードとの間のモード切り替えを行う場合について説明する。図２に示すように、表示部７にはＦＡＸモード表示７ａとＣＯＰＹモード表示７ｂとが配置されており、動作開始時にＦＡＸモード表示７ａとＣＯＰＹモード表示７ｂのいずれか一方が、ハイライト表示（点滅又は反転表示）されている。ジョイスティック６１は操作棒６１ａを左右及び上下（紙面の）に傾けることができ、この操作棒６１ａを操作することにより、表示部７のハイライト表示部を左あるいは右、又は上あるいは下に移動させることができる。決定キー６２は、操作し易いように、大きい形状にしてある。今、ＣＯＰＹ表示７ｂがハイライト表示にあるときに、ジョイスティック６１の操作棒６１ａを左側に操作（傾ける）すると、ハイライト表示がＦＡＸモード表示７ａに移る。ここで決定キー６２を操作すると、そのときにハイライト表示されているモード、ここではＦＡＸモードが確定入力される。このような操作装置によるモード切り替え等の入力は、ジョイスティック６１の操作棒６１ａをタッチすることと、大きい形状にしてある決定キー６２の操作とで行うので、簡単かつ確実に行うことができ、誤操作を回避できる。
【００１４】
上記したジョイスティック６１、決定キー６２を使用した他の操作部（操作装置）の例を説明する。この実施形態は、図３に示すように、テンキー６３の各キーに自照式キーを用いるとともに、このテンキー６３の近傍に、図２で示したと同様のジョイスティック６１と決定キー６２とを配置している。自照式キーとは、キーの内部又はキー近傍に、それぞれ発光器（ＬＥＤ等）を備えたキーである。ここでは、テンキー６３は１個のキーだけが自照している。例えば図３に示すように「８」キーが自照しているとする。この状態で操作者がジョスティック６１の操作棒６１ａを左右、上下のいずれかの方向に操作すると、その操作に応じて自照するキーが「８」キーから操作した方向のキーに移る。例えば、操作棒６１ａを左に傾け操作すると「８」キーの左横にある「７」キーが自照する。ここで決定キー６２を操作すると、このときに自照している「７」が確定入力される。
【００１５】
なお、図２の実施形態と図３の実施形態とを、個別の操作装置として説明したが、ＦＡＸモードとＣＯＰＹコピーの切り替え、及び自照キーを用いたテンキーによる入力を１個のジョイスティックと１個の決定キーとを用いて行うようにしても良い。
【００１６】
また、図３の実施形態において、各キーの自照の有無にかかわらず、自照式キーであるテンキー６３の各数字キーを直接指で操作した場合には、その数字キーに対応する数値が入力されるようにしても良い。
【００１７】
【発明の効果】
この発明によれば、左右上下に自在に変位可能な突出部材と、決定キーとを操作するのみで種々のキーを入力できるので、手指等に障害がある人であっても、モード切り替えや数値入力の操作を簡単且つ確実に行うことができる。そのため、キーが小さいことなどによる誤操作を防止できる。
【図面の簡単な説明】
【図１】この発明が実施されるファクシミリ装置の構成を示すブロック図である。
【図２】この発明の一実施形態であるファクシミリ装置の操作部を説明する図である。
【図３】この発明の他の実施形態である操作部を説明する図である。
【符号の説明】
１　　　　主制御部
２　　　　ＮＣＵ
３　　　　ＭＯＤＥＭ
４　　　　スキャナ
５　　　　画像処理部
６　　　　操作部
７　　　　表示部
７ａ　　　ＦＡＸモード表示
７ｂ　　　ＣＯＰＹモード表示
８　　　　ＬＡＮＩ／Ｆ
９　　　　ＲＯＭ
１０　　　ＲＡＭ
１１　　　画像メモリ
１２　　　ＣＯＤＥＣ
１３　　　プリンタ
１４　　　ＬＡＮ
６１　　　ジョイステック
６１ａ　　操作棒
６２　　　決定キー
【図１】
2004040275.tif 000003
【図２】
2004040275.tif 000004
【図３】
2004040275.tif 000005